(57)【要約】【課題】容易に製造することができる小銭入れを提供する。【解決手段】弾性材から成る底壁部１と、上方へ膨出した弾性材から成る凸隆状天井壁部２と、から構成される。上記天井壁部２の下端縁部３と、上記底壁部１の外周縁部とは、小銭出入口５を除いて、一体状に連結される。さらに、上記小銭出入口５は平面視略円形である。上記底壁部１は、上記小銭出入口５に対応して、かつ、平面視において上記小銭出入口５よりも大きな直径寸法の円形薄膜部６を備える。上記薄膜部６は、上方凸状半球殻状と下方凸状半球殻状に切替自在である。しかも、上方凸状半球殻状に切替った上記薄膜部６は、上記小銭出入口５を形成する上記天井壁部２の切欠窓部９の内縁部に当接して、内部の小銭の飛び出しを阻止するように構成した。【選択図】図１
2016022110.tif 000002
【特許請求の範囲】
【請求項１】
弾性材から成る底壁部（１）と、上方へ膨出した弾性材から成る凸隆状天井壁部（２）と、から構成され、
上記天井壁部（２）の下端縁部（３）と、上記底壁部（１）の外周縁部（４）とは、小銭出入口（５）を除いて、一体状に連結され、
さらに、上記小銭出入口（５）は平面視略円形であり、
上記底壁部（１）は、上記小銭出入口（５）に対応して、かつ、平面視において上記小銭出入口（５）よりも大きな直径寸法の円形薄膜部（６）を備え、
上記薄膜部（６）は、上方凸状半球殻状と下方凸状半球殻状に切替自在であり、しかも、上方凸状半球殻状に切替った上記薄膜部（６）は、上記小銭出入口（５）を形成する上記天井壁部（２）の切欠窓部（９）の内縁部（13）に当接して、内部の小銭（ｍ）の飛び出しを阻止するように構成したことを特徴とする小銭入れ。
【請求項２】
上記底壁部（１）における上記薄膜部（６）を除く底壁本体部（７）の肉厚寸法を（Ｔ0 ）とし、上記薄膜部（６）の肉厚寸法を（Ｔ1）とすると、0.05・Ｔ0 ≦Ｔ1 ≦ 0.3・Ｔ0 に設定した請求項１記載の小銭入れ。
【請求項３】
上記薄膜部（６）を上方凸状半球殻状に切替えた状態に於て、上記薄膜部（６）の下端縁（14）が外鍔状薄膜部（15）をもって上記底壁本体部（７）と連設されている請求項１，２又は３記載の小銭入れ。
【発明の詳細な説明】
【技術分野】
【０００１】
本発明は、小銭入れに関する。
【背景技術】
【０００２】
一般に、小銭入れは、布や革を縫製して、ホックやチャックにて開閉自在に構成される（例えば、特許文献１参照）。
【０００３】
しかし、製造に手間がかかるという欠点があった。また、小銭の出し入れを行なう際に手間がかかるという欠点があった。また、不意に小銭入れが開いて小銭が飛び出す虞れがあった。
【先行技術文献】
【特許文献】
【０００４】
【特許文献１】特開２００２−１５９３１５号公報
【発明の概要】
【発明が解決しようとする課題】
【０００５】
解決しようとする課題は、製造に手間がかかる点である。また、小銭の出し入れを行なう際に手間がかかる点である。また、不意に小銭入れが開いて小銭が飛び出す虞れがある点である。
【課題を解決するための手段】
【０００６】
そこで、本発明に係る小銭入れは、弾性材から成る底壁部と、上方へ膨出した弾性材から成る凸隆状天井壁部と、から構成され、上記天井壁部の下端縁部と、上記底壁部の外周縁部とは、小銭出入口を除いて、一体状に連結され、さらに、上記小銭出入口は平面視略円形であり、上記底壁部は、上記小銭出入口に対応して、かつ、平面視において上記小銭出入口よりも大きな直径寸法の円形薄膜部を備え、上記薄膜部は、上方凸状半球殻状と下方凸状半球殻状に切替自在であり、しかも、上方凸状半球殻状に切替った上記薄膜部は、上記小銭出入口を形成する上記天井壁部の切欠窓部の内縁部に当接して、内部の小銭の飛び出しを阻止するように構成したものである。
【０００７】
また、上記底壁部における上記薄膜部を除く底壁本体部の肉厚寸法をＴ0 とし、上記薄膜部の肉厚寸法をＴ1 とすると、0.05・Ｔ0 ≦Ｔ1 ≦ 0.3・Ｔ0 に設定したものである。
また、上記薄膜部を上方凸状半球殻状に切替えた状態に於て、上記薄膜部の下端縁が外鍔状薄膜部をもって上記底壁本体部と連設されているものである。
【発明の効果】
【０００８】
本発明の小銭入れによれば、射出成型等により、容易に製造することができる。また、外形（外観）がスマートであって、ポケット等に出し入れし易く、しかも、容易に小銭を出し入れすることができる。そして、容易に小銭出入口を開くことができ、薄膜部が下方凸状半球殻状から上方凸状半球殻状に切替わる際、小銭が収容空間奥方へ自動的にスムースに移動する。容易に小銭出入口を封鎖することができ、小銭が飛び出すことを防止することができる。このように、小銭を確実に収納することができ、逆に、急に小銭入れを開いても小銭が飛び出すことを防止することができる。さらに、容易に小銭を計数することができる。
【図面の簡単な説明】
【０００９】
【図１】本発明の第１の実施の形態を示す平面図である。
【図２】図１のＡ−Ａ断面図である。
【図３】底面図である。
【図４】図１のＢ−Ｂ断面端面図である。
【図５】要部断面端面図である。
【図６】要部拡大断面端面図である。
【図７】要部拡大断面端面図である。
【図８】説明図である。
【図９】第２の実施の形態を示す平面図である。
【図１０】第３の実施の形態を示す平面図である。
【発明を実施するための形態】
【００１０】
以下、図示の実施の形態に基づいて本発明を詳説する。
図１〜図３は、本発明の第１の実施の形態を示し、この小銭入れは、全体が平面視円形であって、例えば、合成樹脂又はゴムを用いて、２色射出成型により成型することができる。弾性材から成る底壁部１と、上方へ膨出した弾性材から成る凸隆状天井壁部２と、から構成される。天井壁部２の下端縁部３と、底壁部１の外周縁部４とは、小銭出入口５を除いて、一体状に連結される。小銭出入口５は平面視略円形である。
【００１１】
底壁部１は、小銭出入口５に対応して、かつ、平面視において小銭出入口５よりも大きな直径寸法の円形薄膜部６を備える。底壁部１は、底面視において欠けた月型の底壁本体部７を有し、平板形状である。
【００１２】
図４・図５に示すように、薄膜部６は、上方凸状半球殻状と下方凸状半球殻状に切替自在である。薄膜部６は、自身の弾発力にて、内部応力がゼロに近付くように、上方凸状半球殻状及び下方凸状半球殻状の形状を保持する。薄膜部６を下方凸状半球殻状とした小銭出入口５の開口状態で、図５の矢印ａに示すように、小銭ｍを入れて、図４に示すように、薄膜部６を上方凸状半球殻部とした小銭出入口５の閉口状態で、小銭ｍが収納空間８に収納される。小銭ｍを出す際は、薄膜部６を下方凸状半球殻状とした小銭出入口５の開口状態で、図５の矢印ｂに示すように、一旦小銭ｍが下方凸状半球殻状の薄膜部６に落込み、小銭ｍが不意に飛び出すことを防止するとともに、小銭ｍを容易に計数することができる。
【００１３】
上方凸状半球殻状に切替った薄膜部６は、小銭出入口５を形成する天井壁部２の切欠窓部９の内縁部13に当接して、収納空間８に収納された小銭ｍの飛び出しを阻止するように構成する。薄膜部６が、その弾発力によって、天井壁部２をわずかに押圧するように各寸法を設定するのが好ましい。小銭ｍが飛び出すのを確実に防止することができる。
【００１４】
図１に戻って、天井壁部２が、小銭出入口５を形成する切欠窓部９を有する。切欠窓部９は、円弧部10と円弧部10の両端11に連続した左右側縁12から成る。円弧部10の中心角θを、 190°≦θ≦ 250°に設定する。中心角θが、θ＜ 190°の場合、小銭ｍを出入れできなくなる虞れがある。中心角θが、 250°＜θの場合、小銭ｍを出す際、小銭ｍが広範囲にばらけて出しにくくなる。
【００１５】
小銭出入口５の直径は、 500円硬貨の直径より大きく、かつ、 500円硬貨の直径より４mm大きい寸法より小さく設定する。 500円硬貨の直径より小さいと、 500円硬貨の出し入れを行うのが困難となる。 500円硬貨より直径が４mm以上大きいと薄膜部６が露出する部分が大きくなり過ぎて、薄膜部６を上方凸状半球殻状と下方凸状半球殻状に切替えにくくなる。
【００１６】
図６に示すように、薄膜部６を上方凸状半球殻状に切替えた状態に於て、薄膜部６の下端縁14が外鍔状薄膜部15をもって底壁本体部７と連設されている。具体的には、外鍔状薄膜部15の上面（内面）16が、底壁本体部７の上面（内面）17と連続同一面状となるように、連設されている。図７に示すように、下方凸状半球殻状に切替えた開口状態に於て、外鍔状薄膜部15の上面（内面）16が、底壁本体部７の上面（内面）17と、小さなアールをもってなめらかに連続するのが好ましい。特に、外鍔状薄膜部15の上面16と底壁本体部７の上面（内面）17の間に段差が無いように構成する。小銭ｍ（図４・図５参照）の出し入れをスムーズに行うことができる。
【００１７】
底壁部１における薄膜部６を除く底壁本体部７の肉厚寸法をＴ0 とし、薄膜部６の肉厚寸法をＴ1 とすると、0.05・Ｔ0 ≦Ｔ1≦ 0.3・Ｔ0 に設定する。Ｔ1 ＜0.05・Ｔ0の場合、薄膜部６の強度が不足する。Ｔ1 ＜ 0.3・Ｔ0 の場合、薄膜部６を上方凸状半球殻状、下方凸状半球殻状に確実に適切な形状を維持できなくなる。
【００１８】
図８に示すように、薄膜部６の形状は、薄膜部６を上方凸状半球殻状とした状態での高さ寸法をＨとすると、0.65Ｒ≦Ｈ≦ 1.0Ｒを満たす半径Ｒの球の一部と略同一の形状であり、好ましくは、0.75Ｒ≦Ｈ≦ 0.9Ｒに設定する。高さ寸法Ｈが、Ｈ＜0.65Ｒの場合、小銭ｍを入れた使用状態で、不意に小銭出入口５が開く虞れがある。高さ寸法Ｈが、 1.0Ｒ＜Ｈの場合、全体がかさばる。
【００１９】
図９は、第２の実施の形態を示す。全体が、平面視楕円形である。その他の構成は、第１の実施の形態と同様である。
【００２０】
図10は、第３の実施の形態を示す。全体が、平面視半長円形である。その他の構成は、第１の実施の形態と同様である。
【００２１】
なお、本発明は、設計変更可能であって、例えば、底壁部１と天井壁部２を同一色として一体に射出成型したものであっても良い。
【００２２】
以上のように、本発明は、弾性材から成る底壁部１と、上方へ膨出した弾性材から成る凸隆状天井壁部２と、から構成され、上記天井壁部２の下端縁部３と、上記底壁部１の外周縁部４とは、小銭出入口５を除いて、一体状に連結され、さらに、上記小銭出入口５は平面視略円形であり、上記底壁部１は、上記小銭出入口５に対応して、かつ、平面視において上記小銭出入口５よりも大きな直径寸法の円形薄膜部６を備え、上記薄膜部６は、上方凸状半球殻状と下方凸状半球殻状に切替自在であり、しかも、上方凸状半球殻状に切替った上記薄膜部６は、上記小銭出入口５を形成する上記天井壁部２の切欠窓部９の内縁部13に当接して、内部の小銭ｍの飛び出しを阻止するように構成したので、射出成型等により、容易に製造することができる。また、外形（外観）がスマートであって、ポケット等に出し入れし易く、しかも、容易に小銭ｍを出し入れすることができる。そして、容易に小銭出入口５を開くことができ、薄膜部６が下方凸状半球殻状から上方凸状半球殻状に切替わる際、小銭ｍが収容空間８奥方へ自動的にスムースに移動する。容易に小銭出入口５を封鎖することができ、小銭ｍが飛び出すことを防止することができる。このように、小銭ｍを確実に収納することができ、逆に、急に小銭入れを開いても小銭ｍが飛び出すことを防止することができる。さらに、容易に小銭ｍを計数することができる。
【００２３】
また、上記底壁部１における上記薄膜部６を除く底壁本体部７の肉厚寸法をＴ0 とし、上記薄膜部６の肉厚寸法をＴ1 とすると、0.05・Ｔ0 ≦Ｔ1 ≦ 0.3・Ｔ0 に設定したので、小さな力で薄膜部６を上方凸状半球殻状と下方凸状半球殻状に切替えることができる。しかも、その各半球殻状を美しく確実に保持できる。
また、上記薄膜部６を上方凸状半球殻状に切替えた状態に於て、上記薄膜部６の下端縁14が外鍔状薄膜部15をもって上記底壁本体部７と連設されているので、薄膜部６を上方凸状と下方凸状半球殻状に容易かつ確実に切替えることができる。
【符号の説明】
【００２４】
１  底壁部
２  （凸隆状）天井壁部
３  下端縁部
４  外周縁部
５  小銭出入口
６  （円形）薄膜部
７  底壁本体部
９  切欠窓部
13  内縁部
14  下端縁
15  外鍔状薄膜部
ｍ  小銭
Ｔ0   肉厚寸法
Ｔ1   肉厚寸法
【図１】
2016022110.tif 000003
【図２】
2016022110.tif 000004
【図３】
2016022110.tif 000005
【図４】
2016022110.tif 000006
【図５】
2016022110.tif 000007
【図６】
2016022110.tif 000008
【図７】
2016022110.tif 000009
【図８】
2016022110.tif 000010
【図９】
2016022110.tif 000011
【図１０】
2016022110.tif 000012